(57)【要約】【課題】タブレットＰＣを提供する。【解決手段】本発明の一実施形態によるタブレットＰＣは、所定のデータを入力する入力部と、入力されたデータに対応する結果が出力される出力部と、が備えられるパッド本体と、パッド本体の機能を補助するために、パッド本体の一側に着脱自在に結合される着脱型補助装置と、パッド本体に設けられて、着脱型補助装置をパッド本体に結合させる締結ユニットと、を含む。  これにより、移動上の便宜、物流管理、在庫管理、決済、または個人認証などの多様な補助的機能も使える効果がある。【選択図】図３
2014049134.tif 000002
【特許請求の範囲】
【請求項１】
所定のデータを入力する入力部と、入力されたデータに対応する結果が出力される出力部と、が備えられるパッド本体と、
前記パッド本体の機能を補助するために、前記パッド本体の一側に着脱自在に結合される着脱型補助装置と、
前記パッド本体に設けられて、前記着脱型補助装置を前記パッド本体に結合させる締結ユニットと、
を含むことを特徴とするタブレットＰＣ。
【請求項２】
前記着脱型補助装置は、前記締結ユニットによって前記パッド本体に結合されるが、手で把持可能に設けられる着脱型ハンドグリップであることを特徴とする請求項１に記載のタブレットＰＣ。
【請求項３】
前記着脱型ハンドグリップは、前記パッド本体の少なくとも何れか一辺に結合されることを特徴とする請求項２に記載のタブレットＰＣ。
【請求項４】
前記パッド本体は、四角形平面状を有し、
前記着脱型ハンドグリップは、前記パッド本体の４つの角部のうちから組合わせられた２つの角部にそれぞれ連結されることを特徴とする請求項３に記載のタブレットＰＣ。
【請求項５】
前記着脱型ハンドグリップは、
前記パッド本体に結合されるパッド結合部と、
前記パッド結合部に結合され、ユーザが手で把持する把持部と、
を含むことを特徴とする請求項２に記載のタブレットＰＣ。
【請求項６】
前記パッド結合部は、前記パッド本体を基準に既定の角度ほど上方または下方に傾いた傾斜部を含むことを特徴とする請求項５に記載のタブレットＰＣ。
【請求項７】
前記傾斜部は、曲面状に設けられることを特徴とする請求項６に記載のタブレットＰＣ。
【請求項８】
前記着脱型ハンドグリップには、前記パッド本体の相異なる一辺にそれぞれ結合可能に、前記着脱型ハンドグリップの長さ調節のための長さ調節部が設けられていることを特徴とする請求項２に記載のタブレットＰＣ。
【請求項９】
前記長さ調節部は、しわ状に形成されるジャバラ構造を有することを特徴とする請求項８に記載のタブレットＰＣ。
【請求項１０】
前記着脱型ハンドグリップには、ユーザの把持時に発生しうる滑りを防止するための滑り防止部が形成されることを特徴とする請求項２に記載のタブレットＰＣ。
【請求項１１】
前記パッド本体は、角部に着脱結合される少なくとも１つのコーナー部仕上げピースを含み、
前記締結ユニットは、前記コーナー部仕上げピースが分離されて設けられるが、前記着脱型ハンドグリップが配されるハンドグリップ配置部と、
前記着脱型ハンドグリップを前記パッド本体に結合させる締結部材と、
を含むことを特徴とする請求項２に記載のタブレットＰＣ。
【請求項１２】
前記締結ユニットは、
前記着脱型ハンドグリップの少なくとも一部が摺動自在に前記パッド本体の内部に設けられるハンドグリップ配置部と、
前記パッド本体の内部で前記着脱型ハンドグリップが接触するように設けられて、前記着脱型ハンドグリップを外部に付勢させる弾性部材と、
前記パッド本体と前記着脱型ハンドグリップとに設けられて、前記着脱型ハンドグリップを前記パッド本体の既定の位置でロッキングさせるロッキング部と、
を含むことを特徴とする請求項２に記載のタブレットＰＣ。
【請求項１３】
前記着脱型補助装置は、
前記締結ユニットによって前記パッド本体に結合されるが、磁気帯に記録されている情報を読み出すように構成される磁気帯判読器（Ｍａｇｎｅｔｉｃ  Ｓｔｒｉｐｅ  Ｒｅａｄｅｒ）モジュール、バーコード（Ｂａｒ  Ｃｏｄｅ）を認識できるように構成されるバーコード判読器（Ｂａｒ  Ｃｏｄｅ  Ｒｅａｄｅｒ）モジュール、決済認証または保安関連認証のためのＩＣカードモジュール、及び予備バッテリーモジュールのうち少なくとも１つのモジュールが設けられるモジュール設置ユニットであることを特徴とする請求項１に記載のタブレットＰＣ。
【請求項１４】
前記締結ユニットは、
前記パッド本体の後壁部に設けられるモジュール設置ユニット配置部と、
前記モジュール設置ユニットを前記パッド本体のモジュール設置ユニット配置部に結合させる締結部材と、
を含むことを特徴とする請求項１３に記載のタブレットＰＣ。
【請求項１５】
前記着脱型補助装置は、
把持状態で前記パッド本体の角度を変化させるように設けられる着脱型ハンドストラップであることを特徴とする請求項１に記載のタブレットＰＣ。
【請求項１６】
前記着脱型ハンドストラップは、
前記パッド本体に装着される装着部と、
前記装着部の一側に回転自在に前記装着部に結合される回転部と、
前記回転部に結合され、ユーザが取ることができるように設けられる連結フックと、
を含むことを特徴とする請求項１５に記載のタブレットＰＣ。
【請求項１７】
前記回転部は、円形断面を有するように設けられ、前記回転部には、鋸歯状の突起が円周に沿って配され、前記装着部には、前記鋸歯状の突起に結合可能に設けられる突起噛合部が形成され、前記回転部の回転によって把持状態での前記パッド本体の角度が変化されることを特徴とする請求項１６に記載のタブレットＰＣ。
【請求項１８】
前記着脱型補助装置は、
前記締結ユニットによって前記パッド本体に結合されるが、磁気帯に記録されている情報を読み出すように構成される磁気帯判読器モジュール、バーコードを認識できるように構成されるバーコード判読器モジュール、決済認証または保安関連認証のためのＩＣカードモジュール、及び予備バッテリーモジュールのうち少なくとも１つのモジュールが設けられるモジュール設置ユニットをさらに含み、
前記着脱型ハンドストラップは、前記モジュール設置ユニットに結合されることを特徴とする請求項１５に記載のタブレットＰＣ。
【発明の詳細な説明】
【技術分野】
【０００１】
本発明は、タブレットＰＣに係り、より詳細には、パッド本体の機能を補助することができる着脱型補助装置がパッド本体に結合されて、多様な業務と関連して機能の拡張が可能なタブレットＰＣに関する。
【背景技術】
【０００２】
一般的に、タブレットＰＣは、ノート型パソコンの性能とＰＤＡ（Ｐｅｒｓｏｎａｌ  Ｄｉｇｉｔａｌ  Ａｓｓｉｓｔａｎｔ）の移動性とを結合させたものであって、液晶またはＯＬＥＤ（Ｏｒｇａｎｉｃ  Ｌｉｇｈｔ  Ｅｍｉｔｔｉｎｇ  Ｄｉｏｄｅ）などで構成されたディスプレイ部と、キーボードとマウスの代わりに、手とペン及びデジタルインクとを入力方式として採択したコンピュータである。
【０００３】
そして、タブレットＰＣは、主にタッチスクリーンを用いて操作するパソコンであって、ネットブックやノート型パソコンよりは、作業の便宜性は落ちるが、携帯性に優れて、学生や会社員を中心に、その需要が増えている趨勢である。
【０００４】
このようなタブレットＰＣは、タッチスクリーンを用いて簡単なインターネット検索や動画視聴または読書、ゲームなどの娯楽目的として使われる場合が多いが、電子教科書など教育用としても、その使用頻度が増加している。
【０００５】
しかし、従来のタブレットＰＣは、主に個人的用途や教育的用途として使われるので、産業的用途として使われる場合、機能が制限される短所があった。すなわち、従来のタブレットＰＣを通じては、物流管理、在庫管理、決済、または個人認証などの機能の使用に限界があるという問題点があった。
【０００６】
一方、従来のタブレットＰＣの場合、ユーザの手で握ることができるように設けられるハンドグリップが、タブレットＰＣの本体に固定されているので、タブレットＰＣの多様な使用環境に適切に対処しにくいという問題点があった。
【先行技術文献】
【特許文献】
【０００７】
【特許文献１】アメリカ登録特許第８，１５２，０７１号（２０１２．０４．１０）（Ｍｏｔｉｏｎ  Ｃｏｍｐｕｔｉｎｇ，Ｉｎｃ．）
【発明の概要】
【発明が解決しようとする課題】
【０００８】
本発明が解決しようとする技術的課題は、補助的機能を付け加えて、産業的用途としても使い、着脱自在に設けられる着脱型ハンドグリップを通じて多様な使用環境に適切に対処することができるタブレットＰＣを提供するところにある。
【課題を解決するための手段】
【０００９】
本発明の一側面によれば、所定のデータを入力する入力部と、入力されたデータに対応する結果が出力される出力部と、が備えられるパッド本体と、前記パッド本体の機能を補助するために、前記パッド本体の一側に着脱自在に結合される着脱型補助装置と、前記パッド本体に設けられて、前記着脱型補助装置を前記パッド本体に結合させる締結ユニットと、を含むことを特徴とするタブレットＰＣが提供されうる。
【００１０】
また、前記着脱型補助装置は、前記締結ユニットによって前記パッド本体に結合されるが、手で把持可能に設けられる着脱型ハンドグリップであり得る。
【００１１】
そして、前記着脱型ハンドグリップは、前記パッド本体の少なくとも何れか一辺に結合されうる。
【００１２】
また、前記パッド本体は、四角形平面状を有し、前記着脱型ハンドグリップは、前記パッド本体の４つの角部のうちから組合わせられた２つの角部にそれぞれ連結されうる。
【００１３】
そして、前記着脱型ハンドグリップは、前記パッド本体に結合されるパッド結合部と、前記パッド結合部に結合され、ユーザが手で把持する把持部と、を含みうる。
【００１４】
また、前記パッド結合部は、前記パッド本体を基準に既定の角度ほど上方または下方に傾いた傾斜部を含みうる。
【００１５】
そして、前記傾斜部は、曲面状に設けられうる。
【００１６】
また、前記着脱型ハンドグリップには、前記パッド本体の相異なる一辺にそれぞれ結合可能に、前記着脱型ハンドグリップの長さ調節のための長さ調節部が設けられうる。
【００１７】
そして、前記長さ調節部は、しわ状に形成されるジャバラ構造を有しうる。
【００１８】
また、前記着脱型ハンドグリップには、ユーザの把持時に発生しうる滑りを防止するための滑り防止部が形成されうる。
【００１９】
そして、前記パッド本体は、角部に着脱結合される少なくとも１つのコーナー部仕上げピースを含み、前記締結ユニットは、前記コーナー部仕上げピースが分離されて設けられるが、前記着脱型ハンドグリップが配されるハンドグリップ配置部と、前記着脱型ハンドグリップを前記パッド本体に結合させる締結部材と、を含みうる。
【００２０】
また、前記締結ユニットは、前記着脱型ハンドグリップの少なくとも一部が摺動自在に前記パッド本体の内部に設けられるハンドグリップ配置部と、前記パッド本体の内部で前記着脱型ハンドグリップが接触するように設けられて、前記着脱型ハンドグリップを外部に付勢させる弾性部材と、前記パッド本体と前記着脱型ハンドグリップとに設けられて、前記着脱型ハンドグリップを前記パッド本体の既定の位置でロッキングさせるロッキング部と、を含みうる。
【００２１】
そして、前記着脱型補助装置は、前記締結ユニットによって前記パッド本体に結合されるが、磁気帯に記録されている情報を読み出すように構成される磁気帯判読器（Ｍａｇｎｅｔｉｃ  Ｓｔｒｉｐｅ  Ｒｅａｄｅｒ）モジュール、バーコード（Ｂａｒ  Ｃｏｄｅ）を認識できるように構成されるバーコード判読器（Ｂａｒ  Ｃｏｄｅ  Ｒｅａｄｅｒ）モジュール、決済認証または保安関連認証のためのＩＣカードモジュール、及び予備バッテリーモジュールのうち少なくとも１つのモジュールが設けられるモジュール設置ユニットであり得る。
【００２２】
また、前記締結ユニットは、前記パッド本体の後壁部に設けられるモジュール設置ユニット配置部と、前記モジュール設置ユニットを前記パッド本体のモジュール設置ユニット配置部に結合させる締結部材と、を含みうる。
【００２３】
そして、前記着脱型補助装置は、把持状態で前記パッド本体の角度を変化させるように設けられる着脱型ハンドストラップであり得る。
【００２４】
また、前記着脱型ハンドストラップは、前記パッド本体に装着される装着部と、前記装着部の一側に回転自在に前記装着部に結合される回転部と、前記回転部に結合され、ユーザが取ることができるように設けられる連結フックと、を含みうる。
【００２５】
そして、前記回転部は、円形断面を有するように設けられ、前記回転部には、鋸歯状の突起が円周に沿って配され、前記装着部には、前記鋸歯状の突起に結合可能に設けられる突起噛合部が形成され、前記回転部の回転によって把持状態での前記パッド本体の角度が変化されうる。
【００２６】
また、前記着脱型補助装置は、前記締結ユニットによって前記パッド本体に結合されるが、磁気帯に記録されている情報を読み出すように構成される磁気帯判読器モジュール、バーコードを認識できるように構成されるバーコード判読器モジュール、決済認証または保安関連認証のためのＩＣカードモジュール、及び予備バッテリーモジュールのうち少なくとも１つのモジュールが設けられるモジュール設置ユニットをさらに含み、前記着脱型ハンドストラップは、前記モジュール設置ユニットに結合されうる。
【発明の効果】
【００２７】
本発明の実施形態は、補助的機能を付け加えて、産業的用途としても使い、着脱自在に設けられる着脱型ハンドグリップを通じて多様な使用環境に適切に対処することができる。
【図面の簡単な説明】
【００２８】
【図１】本発明の第１実施形態によるタブレットＰＣのパッド本体の正面斜視図である。
【図２】本発明の第１実施形態によるタブレットＰＣのパッド本体の背面斜視図である。
【図３】本発明の第１実施形態によるタブレットＰＣでパッド本体に着脱型ハンドグリップが結合された斜視図である。
【図４】本発明の第１実施形態によるタブレットＰＣでパッド本体に着脱型ハンドグリップが結合された斜視図である。
【図５】本発明の第１実施形態によるタブレットＰＣで着脱型ハンドグリップに長さ調節部が備えられた図である。
【図６】本発明の第１実施形態によるタブレットＰＣで着脱型ハンドグリップに滑り防止部が備えられた図である。
【図７】本発明の第１実施形態によるタブレットＰＣで着脱型ハンドグリップがプッシュラッチボタン方式で結合されることを示す図である。
【図８】本発明の第２実施形態によるタブレットＰＣでモジュール設置ユニットと着脱型ハンドストラップとがいずれもパッド本体に結合される場合の分離斜視図である。
【図９】本発明の第３実施形態によるタブレットＰＣで着脱型ハンドストラップのみパッド本体に結合される場合の分離斜視図である。
【図１０】本発明の第３実施形態によるタブレットＰＣで着脱型ハンドストラップの断面図である。
【発明を実施するための形態】
【００２９】
本発明と本発明の動作上の利点及び本発明の実施によって達成される目的を十分に理解するためには、本発明の望ましい実施形態を例示する添付図面及び添付図面に記載の内容を参照しなければならない。
【００３０】
以下、添付図面を参照して、本発明の望ましい実施形態を説明することによって、本発明を詳しく説明する。各図面に付された同じ参照符号は、同じ部材を表わす。
【００３１】
図１は、本発明の第１実施形態によるタブレットＰＣ１００のパッド本体の正面斜視図であり、図２は、本発明の第１実施形態によるタブレットＰＣ１００のパッド本体の背面斜視図である。
【００３２】
図１及び図２を参照すると、パッド本体１１０は、所定のデータを入力する入力部１１１と、入力されたデータに対応する結果が出力される出力部１１２と、を含む。
【００３３】
ここで、ユーザは、指やタッチペンなどを使って入力部１１１にデータを入力し、入力部１１１から入力されたデータは、パッド本体１１０の内部の各種処理装置で演算処理した後、出力部１１２を通じて入力データに対応する結果が出力されるように設けられうる。
【００３４】
図３、図４、図８及び図９を参照すると、着脱型補助装置１２０は、パッド本体１１０の機能を補助するために、パッド本体１１０の一側に着脱自在に結合されうる。
【００３５】
ここで、着脱型補助装置１２０は、後述するように、着脱型ハンドグリップ１４０で設けられ、または、補助機能を使える各種のモジュールが設けられるモジュール設置ユニット１５０で設けられることもあり、着脱型ハンドストラップ１６０で設けられることもある。
【００３６】
これを通じて、本発明によるタブレットＰＣ１００は、タブレットＰＣ１００の基本機能だけではなく、補助機能まで使える効果がある。
【００３７】
図２、図８及び図９を参照すると、締結ユニット１３０は、パッド本体１１０に設けられて、着脱型補助装置１２０をパッド本体１１０に結合させるように設けられる。
【００３８】
一方、着脱型補助装置１２０は、パッド本体１１０の衝撃を吸収することができる衝撃吸収部を含み、ここで、衝撃吸収部は、ゴム、スポンジ、ウレタン、ポリスチレンまたはポリエチレンのうち少なくとも１つを含むように設けられうる。
【００３９】
図３ないし図４は、本発明の第１実施形態によるタブレットＰＣ１００のうち、パッド本体に着脱型ハンドグリップが結合された斜視図である。
【００４０】
図１ないし図４を参照すると、本実施形態で、着脱型補助装置１２０が着脱型ハンドグリップ１４０で設けられて、パッド本体１１０に結合される。
【００４１】
すなわち、着脱型補助装置１２０は、締結ユニット１３０によってパッド本体１１０に結合されるが、手で把持可能に設けられる着脱型ハンドグリップ１４０で設けられうる。
【００４２】
一般的に、ユーザが移動する場合、着脱型ハンドグリップ１４０を手で握った後、タブレットＰＣ１００を移動させ、または、ユーザがタブレットＰＣ１００を使う場合、着脱型ハンドグリップ１４０を取った状態で各種の作業ができる。
【００４３】
ここで、タブレットＰＣ１００の使用環境によって、タブレットＰＣ１００を横方向に配置した後、作業することが容易でもあり得るが、必要に応じてタブレットＰＣ１００を縦方向に配置した後、作業することが楽な時もある。
【００４４】
そして、人が多く集まっている地下鉄、バスなどでタブレットＰＣ１００を移動するか、使う場合などの多様な状況に応じて、タブレットＰＣ１００を縦方向や横方向のうち、１つの方向を選択して把持しなければならない必要性が生じうる。
【００４５】
しかし、従来タブレットＰＣ１００に結合されたハンドグリップは、本体と一体型で形成されているので、ユーザは、タブレットＰＣ１００の使用時に、または移動時に、単一形態にのみハンドグリップを取ることができた。
【００４６】
すなわち、従来タブレットＰＣ１００は、ハンドグリップが本体に固定されているので、タブレットＰＣ１００を利用した作業時に、またはタブレットＰＣ１００の移動時に、多様な使用環境に適切に対処しにくいという問題点があった。
【００４７】
しかし、本発明の一実施形態によるタブレットＰＣ１００は、ハンドグリップが着脱型で設けられるので、着脱型ハンドグリップ１４０をパッド本体１１０の多様な部分に結合して使える。
【００４８】
これを通じて、横方向のディスプレイ使用、または縦方向のディスプレイの使用でも、ユーザが容易にパッド本体１１０の把持が可能であって、多様な使用環境に適切に対処することができる効果がある。
【００４９】
ここで、着脱型ハンドグリップ１４０は、パッド本体１１０の少なくとも何れか一辺１１３ａ、１１３ｂ、１１３ｃ、１１３ｄに結合されるように設けられうる。ここで、辺は、多角形を成す角線分を意味する。
【００５０】
すなわち、パッド本体１１０は、複数の辺を有するように形成される。ここで、着脱型ハンドグリップ１４０の角部分が、パッド本体１１０の複数の辺にそれぞれ結合されることもあり、または、着脱型ハンドグリップ１４０の角部分が、パッド本体１１０の１つの辺に形成された所定の部分に結合されるように設けられることもある。
【００５１】
一方、パッド本体１１０は、四角形平面状を有し、この場合、着脱型ハンドグリップ１４０は、パッド本体１１０の４つの角部１１４ａ、１１４ｂ、１１４ｃ、１１４ｄのうちから組合わせられた２つの角部にそれぞれ連結されうる。ここで、角は、前述したように、物体の角状の縁部を意味する。
【００５２】
すなわち、図３に示したように、着脱型ハンドグリップ１４０は、横方向の辺の端部に形成された２つの角部１１４ａ、１１４ｄに結合されるか、または、図４に示したように、縦方向の辺の端部に形成された２つの角部１１４ａ、１１４ｂに結合される。
【００５３】
また、図示していないが、着脱型ハンドグリップ１４０は、パッド本体１１０の対角線の端部に形成された２つの角部１１４ａ、１１４ｃを通じて連結されることもある。
【００５４】
これを通じて、本発明の一実施形態によるタブレットＰＣ１００は、着脱型ハンドグリップ１４０を多様な方向に結合することができるので、横方向のディスプレイ使用、または縦方向のディスプレイの使用でも、ユーザが容易にパッド本体を把持し、したがって、使用上の便宜性が向上する効果がある。
【００５５】
図２、図３及び図４を参照すると、着脱型補助装置１２０が着脱型ハンドグリップ１４０で設けられる場合、パッド本体１１０は、角部１１４ａ、１１４ｂ、１１４ｃ、１１４ｄに着脱結合される少なくとも１つのコーナー部仕上げピース１１５を含む。
【００５６】
そして、締結ユニット１３０は、コーナー部仕上げピース１１５が分離されて設けられるが、着脱型ハンドグリップ１４０が配されるハンドグリップ配置部１３１ａと、着脱型ハンドグリップ１４０をパッド本体１１０に結合させる締結部材１３２と、を含む。
【００５７】
すなわち、着脱型ハンドグリップ１４０は、パッド本体１１０からコーナー部仕上げピース１１５を分離した後、パッド本体１１０のうち、コーナー部仕上げピース１１５が結合された位置、すなわち、ハンドグリップ配置部１３１ａに配置される。
【００５８】
そして、着脱型ハンドグリップ１４０は、ネジ、ボルトなどの締結部材１３２を使ってパッド本体１１０に結合されうる。
【００５９】
ここで、ハンドグリップ配置部１３１ａには、必ずしも着脱型ハンドグリップ１４０のみ配されるものではなく、肩紐または基部のような多様な補助機能装置が配置されうることを明らかにする。
【００６０】
図３及び図４を参考にすると、着脱型ハンドグリップ１４０は、パッド本体１１０に結合されるパッド結合部１４１と、パッド結合部１４１に結合され、ユーザが手で把持する把持部１４３と、を含みうる。
【００６１】
すなわち、パッド結合部１４１は、パッド本体１１０のうち、コーナー部仕上げピース１１５が結合された位置であるハンドグリップ配置部１３１ａに結合され、把持部１４３は、パッド結合部１４１に結合されうる。
【００６２】
ここで、図３及び図４に示したように、パッド結合部１４１は、パッド本体１１０を基準に既定の角度ほど上方または下方に傾いた傾斜部１４２を含みうる。
【００６３】
パッド結合部１４１に形成された傾斜部１４２を通じてタブレットＰＣ１００の使用、または移動時のグリップ感を向上させ、また、傾斜部１４２が形成されたパッド結合部１４１を地面に配置する場合、把持部１４３が地面に接触し、着脱型ハンドグリップ１４０が、タブレットＰＣ１００の基部の機能をすることもできる。
【００６４】
ここで、傾斜部１４２は、直面または曲面状に設けられ、グリップ感やデザイン的な側面を考慮すれば、曲面状に形成されることが望ましいが、これに限定されるものではない。
【００６５】
図５の（ａ）及び図５の（ｂ）を参照すると、着脱型ハンドグリップ１４０には、パッド本体１１０の相異なる一辺１１３ａ、１１３ｂ、１１３ｃ、１１３ｄにそれぞれ結合可能に着脱型ハンドグリップ１４０の長さ調節のための長さ調節部１４４が設けられうる。
【００６６】
着脱型ハンドグリップ１４０は、パッド本体１１０に横方向に結合されても、パッド本体１１０に縦方向に結合されてもよく、パッド本体１１０に対角線方向に結合されてもよい。
【００６７】
ここで、横方向と縦方向とを考慮する場合、パッド本体１１０の横方向の辺の長さと縦方向の辺の長さとが異なるならば、着脱型ハンドグリップ１４０は、横方向と縦方向とにそれぞれ結合されるために複数で設けなければならない。
【００６８】
しかし、本実施形態によるタブレットＰＣ１００は、長さ調節部１４４が設けられた着脱型ハンドグリップ１４０を通じて１つの着脱型ハンドグリップ１４０でパッド本体１１０の多様な方向に結合が可能な効果がある。
【００６９】
ここで、長さ調節部１４４は、図５の（ａ）及び図５の（ｂ）に示したように、しわ状に形成されるジャバラ構造を有しうる。
【００７０】
すなわち、着脱型ハンドグリップ１４０は、しわ型ジャバラ構造を通じて着脱型ハンドグリップ１４０の長さを調節させ、長さ調節が可能な１つの着脱型ハンドグリップ１４０を使って、横方向、縦方向または対角線方向などの多様な方向に対してパッド本体１１０に結合することができる。
【００７１】
そして、図６を参照すると、着脱型ハンドグリップ１４０には、ユーザの把持時に発生しうる滑りを防止するための滑り防止部１４５が形成されうる。ここで、滑り防止部１４５は、複数の突起または凹凸で設けられうる。
【００７２】
一方、図７の（ａ）及び図７の（ｂ）を参照すると、着脱型ハンドグリップ１４０は、パッド本体１１０の内部に挿入可能に設けられ、着脱型ハンドグリップ１４０の一側の押圧を通じて挿入と引き出しとが可能なプッシュラッチボタン１３３方式で形成されうる。
【００７３】
そして、締結ユニット１３０は、ハンドグリップ配置部１３１ｂと、弾性部材（図示せず）及びロッキング部（図示せず）と、を含みうる。
【００７４】
ここで、ハンドグリップ配置部１３１ｂは、着脱型ハンドグリップ１４０の少なくとも一部が摺動自在にパッド本体１１０の内部に形成されうる。
【００７５】
すなわち、図７の（ａ）及び図７の（ｂ）を参照すると、ハンドグリップ配置部１３１ｂは、パッド本体１１０の一側から内部に形成される挿入ホールによって設けられ、着脱型ハンドグリップ１４０の一部が、挿入ホールに挿入されて摺動されうる。
【００７６】
そして、弾性部材（図示せず）は、パッド本体１１０の内部で着脱型ハンドグリップ１４０が接触するように設けられて、着脱型ハンドグリップ１４０を外部に付勢させるように設けられる。
【００７７】
ここで、弾性部材は、挿入ホールの内部に配され、着脱型ハンドグリップ１４０が、挿入ホールの内部に引き込まれた後、弾性力によって原位置に復元されるように設けられる。
【００７８】
また、ロッキング部（図示せず）は、パッド本体１１０と着脱型ハンドグリップ１４０とに設けられて、着脱型ハンドグリップ１４０をパッド本体１１０の既定の位置でロッキングさせ、ロッキング部がロッキングされた後、ロッキング解除されるように形成される。
【００７９】
以下、本発明の第１実施形態によるタブレットＰＣ１００に関する作用及び効果を説明する。
【００８０】
まず、ユーザは、地下鉄、バスのように移動空間でタブレットＰＣ１００を使い、この場合、必要に応じてタブレットＰＣ１００を横方向または縦方向に配置した後、作業する。
【００８１】
ここで、本発明のタブレットＰＣ１００は、パッド本体１１０に着脱型ハンドグリップ１４０を横または縦に結合することができるので、多様な環境、すなわち、横方向のディスプレイ使用、または縦方向のディスプレイの使用でも、ユーザが容易にパッド本体を把持し、したがって、使用上の便宜性が向上する効果がある。
【００８２】
図８は、本発明の第２実施形態によるタブレットＰＣ１００でモジュール設置ユニットと着脱型ハンドストラップとがいずれもパッド本体に結合される場合の分離斜視図である。
【００８３】
図８を参照すると、本実施形態では、着脱型補助装置１２０がモジュール設置ユニット１５０で設けられて、パッド本体１１０に結合される。
【００８４】
以下、説明の便宜上、第１実施形態とは共通される内容の説明は、第１実施形態の説明で代替する。
【００８５】
着脱型補助装置１２０が、締結ユニット１３０によってパッド本体１１０に結合されるが、補助機能が備えられた各種のモジュールが設けられるモジュール設置ユニット１５０で設けられる場合、モジュール設置ユニット１５０には、磁気帯に記録されている情報を読み出すように構成される磁気帯判読器モジュール１５１、バーコードを認識できるように構成されるバーコード判読器モジュール１５２、決済認証または保安関連認証のためのＩＣカードモジュール１５３、及び予備バッテリーモジュール１５４のうち少なくとも１つのモジュールが設けられうる。
【００８６】
ここで、タブレットＰＣ１００は、タブレットＰＣ１００に磁気帯判読器モジュール、バーコード判読器モジュール、ＩＣカードモジュール、及び予備バッテリーモジュールなどを結合して、物流管理、在庫管理、決済、または個人認証などの補助的機能を使える効果がある。
【００８７】
但し、これに限定されるものではなく、モジュール設置ユニット１５０に設けられるモジュールは、補助的機能を備えた多様なモジュールが含まれうることを明らかにする。
【００８８】
ここで、磁気帯判読器モジュール１５１は、磁気帯に記録されている情報を読み出しうるが、例えば、クレジットカード、チェックカードなどの情報を読み出して処理するように設けられる。
【００８９】
すなわち、磁気帯判読器モジュール１５１が、モジュール設置ユニット１５０に設置された後、モジュール設置ユニット１５０がパッド本体１１０に結合される場合、タブレットＰＣ１００は、パッド本体１１０を使って一般的な作業が可能であるだけでなく、モジュール設置ユニット１５０を通じて産業的目的の作業、すなわち、移動式決済なども可能となる。
【００９０】
これにより、本実施形態によるタブレットＰＣ１００は、主機能だけではなく、モジュール設置ユニット１５０による補助的機能まで実行させうる。
【００９１】
そして、バーコード判読器モジュール１５２は、商品決済などのために商品に表示されたバーコードを認識できるように構成されるモジュールであり、バーコード判読器モジュール１５２が、モジュール設置ユニット１５０に設置された後、モジュール設置ユニット１５０がパッド本体１１０に結合される場合、パッド本体１１０を使ってバーコード認識を通じる商品決済が可能となる。
【００９２】
また、ＩＣカードモジュール１５３は、商品の決済認証だけではなく、会社または作業場などで個人の身分証確認を通じて保安関連認証が可能に設けられるモジュールであり、ＩＣカードモジュール１５３が、モジュール設置ユニット１５０に設置された後、モジュール設置ユニット１５０がパッド本体１１０に結合される場合、パッド本体１１０を使って商品決済認証だけではなく、保安関連の個人身分確認が可能となる。
【００９３】
そして、予備バッテリーモジュール１５４は、主なバッテリーが完全に放電された時を備える取り替え用バッテリーでもあり、または、パッド本体１１０に直接連結されて主なバッテリーの取り替えなしにも電源の供給が可能に設けられる補助用バッテリーでもあり得る。
【００９４】
一方、図８を参照すると、モジュール設置ユニット１５０をパッド本体１１０に結合させるように構成される締結ユニット１３０は、パッド本体１１０の後壁部に設けられるモジュール設置ユニット配置部１３４と、モジュール設置ユニット１５０をパッド本体１１０のモジュール設置ユニット配置部１３４に結合させる締結部材１３２と、を含みうる。
【００９５】
ここで、締結部材１３２は、モジュール設置ユニット１５０がモジュール設置ユニット配置部１３４に安定して結合されるようにネジまたはボルトで設けられうる。
【００９６】
一方、本実施形態で、着脱型補助装置１２０は、着脱型ハンドストラップ１６０をさらに含む。
【００９７】
すなわち、着脱型ハンドストラップ１６０は、パッド本体１１０の後壁部に結合されるモジュール設置ユニット１５０の後側に結合される。
【００９８】
以下、本発明の第２実施形態によるタブレットＰＣ１００に関する作用及び効果を説明する。
【００９９】
まず、ユーザが、タブレットＰＣ１００を産業的用途として使う場合、タブレットＰＣ１００に補助機能が備えられた各種のモジュールが設けられるモジュール設置ユニット１５０を結合することができる。
【０１００】
ここで、前記各種のモジュールは、磁気帯判読器モジュール１５１、バーコード判読器モジュール１５２、ＩＣカードモジュール１５３、及び予備バッテリーモジュール１５４を含み、または、他の補助的機能を備えた各種のモジュールを含みうる。
【０１０１】
これにより、物流管理、在庫管理、決済、または個人認証などの補助的機能を使える効果がある。
【０１０２】
図９は、本発明の第３実施形態によるタブレットＰＣ１００で着脱型ハンドストラップのみパッド本体に結合される場合の分離斜視図であり、図１０は、本発明の第３実施形態によるタブレットＰＣ１００で着脱型ハンドストラップの断面図である。
【０１０３】
本実施形態では、着脱型補助装置１２０が着脱型ハンドストラップ１６０で設けられて、パッド本体１１０に直接結合される。
【０１０４】
以下、説明の便宜上、第１実施形態とは共通される内容の説明は、第１実施形態の説明で代替する。
【０１０５】
図９を参照すると、着脱型補助装置１２０が、把持状態でパッド本体１１０の角度を変化させるように設けられる着脱型ハンドストラップ１６０で設けられる場合、ユーザが、パッド本体１１０の後壁部に配される着脱型ハンドストラップ１６０の連結フック１６３を把持した後に、パッド本体１１０を着脱型ハンドストラップ１６０に対して相対的に回転させれば、回転位置によってユーザは多様な角度、または多様な方向でパッド本体１１０の使用が可能となる。
【０１０６】
ここで、着脱型ハンドストラップ１６０は、パッド本体１１０に装着される装着部１６１と、装着部１６１の一側に回転自在に装着部１６１に結合される回転部１６２と、回転部１６２に結合され、ユーザが取ることができるように設けられる連結フック１６３と、を含むように設けられうる。
【０１０７】
そして、着脱型ハンドストラップ１６０に含まれる回転部１６２が回転すれば、パッド本体１１０は、回転部１６２に対して相対的な回転を行うので、着脱型ハンドストラップ１６０を基準にパッド本体１１０の角度を変化させうる。
【０１０８】
ここで、図１０を参照すると、回転部１６２は、円形断面を有するように設けられ、回転部１６２には、鋸歯状の突起１６４が円周に沿って配され、装着部１６１には、鋸歯状の突起１６４に結合可能に設けられる突起噛合部１６５が形成され、回転部１６２の回転によって把持状態でのパッド本体１１０の角度が変化される。
【０１０９】
すなわち、着脱型ハンドストラップ１６０の回転部１６２を回転すれば、回転部１６２に形成された鋸歯状の突起１６４と装着部１６１に形成された突起噛合部１６５とが既定の範囲で結合と結合解除とを反復し、これにより、ユーザは、着脱型ハンドストラップ１６０を基準にパッド本体１１０の角度を精密に調節させうる。
【０１１０】
これにより、本発明の一実施形態によるタブレットＰＣ１００は、タブレットＰＣ１００に着脱型ハンドストラップが結合されて、ユーザがタブレットＰＣ１００を把持した状態でパッド本体の角度変化が可能であり、これを通じて、ゲーム、教育、インターネットサーフィン、産業的利用などの多様な使用環境で最適のディスプレイを具現することができる効果がある。
【０１１１】
以下、本発明の第３実施形態によるタブレットＰＣ１００に関する作用及び効果を説明する。
【０１１２】
まず、ユーザが、パッド本体１１０を多様な使用環境でタブレットＰＣ１００を使う必要があり、この場合、タブレットＰＣ１００の一側に着脱型ハンドストラップ１６０を結合することができる。
【０１１３】
ここで、ユーザは、着脱型ハンドストラップ１６０の回転部１６２を回転することを通じて着脱型ハンドストラップ１６０を基準にパッド本体１１０の角度を精密に調節させうる。
【０１１４】
これにより、多様な使用環境で最適のディスプレイを具現することができる効果がある。
【０１１５】
このように、本発明は、記載の実施形態に限定されるものではなく、本発明の思想及び範囲を外れずに多様に修正及び変形できることは、当業者に自明である。したがって、そのような修正例または変形例は、本発明の特許請求の範囲に属すると言わなければならない。
【産業上の利用可能性】
【０１１６】
本発明は、タブレットＰＣ関連の技術分野に適用可能である。
【符号の説明】
【０１１７】
１００  タブレットＰＣ
１１０  パッド本体
１１１  入力部
１１２  出力部
１１３  一辺
１１４  角部
１１５  コーナー部仕上げピース
１２０  着脱型補助装置
１３０  締結ユニット
１３１  ハンドグリップ配置部
１３２  締結部材
１３３  プッシュラッチボタン
１３４  モジュール設置ユニット配置部
１４０  着脱型ハンドグリップ
１４１  パッド結合部
１４２  傾斜部
１４３  把持部
１４４  長さ調節部
１４５  滑り防止部
１５０  モジュール設置ユニット
１５１  磁気帯判読器モジュール
１５２  バーコード判読器モジュール
１５３  ＩＣカードモジュール
１５４  予備バッテリーモジュール
１６０  着脱型ハンドストラップ
１６１  装着部
１６２  回転部
１６３  連結フック
１６４  突起
１６５  突起噛合部
【図１】
2014049134.tif 000003
【図２】
2014049134.tif 000004
【図３】
2014049134.tif 000005
【図４】
2014049134.tif 000006
【図５】
2014049134.tif 000007
【図６】
2014049134.tif 000008
【図７】
2014049134.tif 000009
【図８】
2014049134.tif 000010
【図９】
2014049134.tif 000011
【図１０】
2014049134.tif 000012